(57)【要約】【課題】複数の設定画面の切換操作を伴うことを要さずに、禁則条件に係る複数の設定項目に係る設定内容を簡易に設定することが可能な技術を提供する。【解決手段】コンピュータ９０は、プリンタドライバ画面において、切換表示可能な複数のタブ画面の中から選択された所望のタブ画面内の表示項目に関するユーザ設定操作を行うことが可能である。コンピュータ９０は、第１の設定項目（「印刷設定」）に関する操作を受け付けると、当該第１の設定項目との間で禁則関係が発生し得る第２の設定項目（「光沢モード」および「ページ位設定」）を取得する。そして、コンピュータ９０は、第１の設定項目と第２の設定項目とを複数のタブ画面のうちの同じタブ画面内に配置する。【選択図】図７
2013235332.tif 000002
【特許請求の範囲】
【請求項１】
切換表示可能な複数の設定画面の中から選択された所望の設定画面内の表示項目に関するユーザ設定操作を行うことが可能な項目設定装置であって、
第１の設定項目に関する操作を受け付ける受付手段と、
前記第１の設定項目との間で禁則設定が生じ得る第２の設定項目を取得する取得手段と、
前記第１の設定項目と前記第２の設定項目とを前記複数の設定画面のうちの特定の設定画面内に配置する設定制御手段と、
を備えることを特徴とする項目設定装置。
【請求項２】
請求項１に記載の項目設定装置において、
前記特定の設定画面は、ユーザによってカスタマイズされた所望の設定項目を配置することが可能なカスタマイズ画面であることを特徴とする項目設定装置。
【請求項３】
請求項２に記載の項目設定装置において、
前記第１の設定項目は、前記カスタマイズ画面に予め設けられている設定項目であり、
前記第２の設定項目は、前記複数の設定画面のうち前記カスタマイズ画面ではない設定画面である非カスタマイズ画面に予め設けられている設定項目であり、
前記特定の設定画面は、前記カスタマイズ画面であることを特徴とする項目設定画面。
【請求項４】
請求項２に記載の項目設定装置において、
前記第１の設定項目は、前記複数の設定画面のうち前記カスタマイズ画面ではない設定画面である非カスタマイズ画面に予め設けられている設定項目であり、
前記第２の設定項目は、前記カスタマイズ画面に予め設けられている設定項目であり、
前記特定の設定画面は、前記カスタマイズ画面であることを特徴とする項目設定画面。
【請求項５】
請求項２に記載の項目設定装置において、
前記受付手段は、前記第１の設定項目に関する設定操作を受け付け、
前記取得手段は、前記第１の設定項目に関する前記設定操作に応じて、前記第２の設定項目を取得することを特徴とする項目設定装置。
【請求項６】
請求項５に記載の項目設定装置において、
前記設定制御手段は、前記第１の設定項目と前記第２の設定項目とのうち前記特定の設定画面に未だ配置されていなかった設定項目である未配置設定項目を、前記特定の設定画面に配置することを特徴とする項目設定装置。
【請求項７】
請求項６に記載の設定項目装置において、
前記設定制御手段は、前記未配置設定項目を前記特定の設定画面に配置してよいか否かをユーザに問い合わせ、前記未配置設定項目を前記特定の設定画面に配置してよい旨が指示されたことを条件として、前記未配置設定項目を前記特定の設定画面に配置することを特徴とする項目設定装置。
【請求項８】
請求項５に記載の設定項目装置において、
前記設定制御手段は、前記第１の設定項目に対する設定操作に起因して禁則設定が発生すると、前記第１の設定項目に関する設定内容を前記設定操作におけるユーザ指示に従って新たな設定内容に変更するとともに、前記第２の設定項目を前記新たな設定内容との間で禁則関係を有しない設定内容に設定し、且つ、前記第１の設定項目を有する第１の設定画面に前記第２の設定項目を配置することを特徴とする項目設定装置。
【請求項９】
請求項５に記載の設定項目装置において、
前記設定制御手段は、前記第１の設定項目に対する設定操作に起因して禁則設定が発生すると、前記第１の設定項目に関する設定内容を前記設定操作におけるユーザ指示に従って新たな設定内容に変更するとともに、前記第２の設定項目を前記新たな設定内容との間で禁則関係を有しない設定内容に設定し、且つ、前記第２の設定項目を有する第２の設定画面に前記第１の設定項目を配置することを特徴とする項目設定装置。
【請求項１０】
請求項５に記載の設定項目装置において、
前記設定制御手段は、前記第１の設定項目に対する設定操作に起因して禁則設定が発生すると、前記第１の設定項目に関する設定内容をユーザ指示に従わずに元の設定内容に戻すとともに、前記第１の設定項目と前記第２の設定項目とを前記特定の設定画面に配置することを特徴とする項目設定装置。
【請求項１１】
請求項１に記載の設定項目装置において、
前記設定制御手段は、前記特定の設定画面内において前記第１の設定項目と前記第２の設定項目とを隣接位置に配置することを特徴とする項目設定装置。
【請求項１２】
請求項１１に記載の設定項目装置において、
前記設定制御手段は、前記第１の設定項目と前記第２の設定項目とが前記特定の設定画面に既に配置されている状態において、前記第１の設定項目に対する操作によって前記第１の設定項目と前記第２の設定項目との両者の間に禁則関係が生じたことを検出すると、前記両者を隣接位置に再配置することを特徴とする項目設定装置。
【請求項１３】
請求項２に記載の項目設定装置において、
前記受付手段は、前記第１の設定項目を登録対象項目として指定して前記カスタマイズ画面に登録する登録操作を受け付け、
前記取得手段は、前記第１の設定項目に関する前記登録操作に応じて、前記第２の設定項目を取得し、
前記設定制御手段は、前記第１の設定項目に関する前記登録操作に応じて、前記第１の設定項目のみならず前記第２の設定項目をも前記カスタマイズ画面に登録して配置することを特徴とする項目設定装置。
【請求項１４】
請求項２に記載の項目設定装置において、
前記設定制御手段は、前記第１の設定項目に関する操作に応じて前記第２の設定項目を前記カスタマイズ画面内に追加配置する自動追加動作を実行し、
前記設定制御手段は、前記カスタマイズ画面内において、前記自動追加動作によって登録された設定項目である自動登録項目と、ユーザの明示の指示に応じて登録された設定項目である手動登録項目とを互いに異なる表示態様で表示させることを特徴とする項目設定装置。
【請求項１５】
請求項２に記載の項目設定装置において、
前記設定制御手段は、前記第１の設定項目に関する操作に応じて前記第２の設定項目を前記カスタマイズ画面内に追加配置する自動追加動作を実行し、
前記設定制御手段は、前記カスタマイズ画面内において、前記自動追加動作に応じて登録された設定項目である自動登録項目と、ユーザの明示の指示に応じて登録された設定項目である手動登録項目とを互いに異なる表示欄に分離して表示させることを特徴とする項目設定装置。
【請求項１６】
請求項１５に記載の項目設定装置において、
前記設定制御手段は、前記自動登録項目のうちの指定設定項目に対する移動指示がユーザにより付与されると、当該指定設定項目を、前記自動登録項目を表示する第１の表示欄から、前記手動登録項目を表示する第２の表示欄へと移動することを特徴とする項目設定装置。
【請求項１７】
請求項２に記載の項目設定装置において、
前記設定制御手段は、前記第１の設定項目に関する操作に応じて前記第２の設定項目を前記カスタマイズ画面内に追加配置する自動追加動作を実行し、
前記設定制御手段は、前記自動追加動作に応じて前記カスタマイズ画面内に登録された設定項目である自動登録項目のうちの複数の指定設定項目を一括的に削除する削除指示がユーザにより付与されると、当該複数の指定設定項目を前記カスタマイズ画面から削除することを特徴とする項目設定装置。
【請求項１８】
請求項２に記載の項目設定装置において、
前記設定制御手段は、前記第１の設定項目に関する操作に応じて前記第２の設定項目を前記カスタマイズ画面内に追加配置する自動追加動作を実行し、
前記設定制御手段は、前記自動追加動作に応じて前記カスタマイズ画面内に登録された設定項目である自動登録項目の数が所定数に到達すると、１または複数の自動登録項目を前記カスタマイズ画面から削除することを特徴とする項目設定装置。
【請求項１９】
請求項２に記載の項目設定装置において、
前記設定制御手段は、前記カスタマイズ画面内に登録された設定項目のうちの指定設定項目に対する削除指示がユーザにより付与されると、当該指定設定項目に関連して登録された設定項目をも連動して前記カスタマイズ画面から削除することを特徴とする項目設定装置。
【請求項２０】
請求項２に記載の項目設定装置において、
前記設定制御手段は、前記カスタマイズ画面内に登録された設定項目のうちの指定設定項目に対する移動指示がユーザにより付与されると、当該指定設定項目に関連して登録された設定項目をも連動して前記カスタマイズ画面内において移動することを特徴とする項目設定装置。
【請求項２１】
請求項１に記載の項目設定装置において、
前記特定の設定画面は、所定の基準に従って分類された所定の設定項目を有していた規定設定画面であり、
前記受付手段は、前記複数の設定画面のうちの前記特定の設定画面である第１の設定画面内の前記第１の設定項目に関する設定操作を受け付け、
前記取得手段は、前記第１の設定項目に関する前記設定操作に応じて、前記複数の設定画面のうちの第２の設定画面内の前記第２の設定項目を取得し、
前記設定制御手段は、前記第１の設定項目と前記第２の設定項目とを前記第１の設定画面内に配置することを特徴とする項目設定装置。
【請求項２２】
コンピュータに、
ａ）切換表示可能な複数の設定画面に配置された複数の設定項目のうち第１の設定項目に関するユーザ操作を受け付けるステップと、
ｂ）前記第１の設定項目との間で禁則設定が生じ得る第２の設定項目を、前記複数の設定項目の中から検索して取得するステップと、
ｃ）前記第１の設定項目と前記第２の設定項目とを前記複数の設定画面のうちの特定の設定画面内に配置するステップと、
を実行させるためのプログラム。
【請求項２３】
切換表示可能な複数の設定画面の中から選択された所望の設定画面内の表示項目に関するユーザ設定操作を行うことが可能な画像形成装置であって、
第１の設定項目に関する操作を受け付ける受付手段と、
前記第１の設定項目との間で禁則設定が生じ得る第２の設定項目を取得する取得手段と、
前記第１の設定項目と前記第２の設定項目とを前記複数の設定画面のうちの特定の設定画面内に配置する設定制御手段と、
を備えることを特徴とする画像形成装置。
【発明の詳細な説明】
【技術分野】
【０００１】
本発明は、複数の設定項目を設定する項目設定装置およびそれに関連する技術に関する。
【背景技術】
【０００２】
複数の設定項目を設定する技術が存在する。たとえば、印刷システムにおいて、パソコン上で動作するプリンタドライバを用いて、印刷出力に関する複数の設定項目をユーザが設定することがある。ユーザによる設定内容（指定内容）に従って当該プリンタドライバが印刷ジョブを生成しプリンタに送信すると、当該プリンタは、受信した印刷ジョブにて指定された設定内容に従って、印刷出力を実行する。
【０００３】
近年、プリンタの多機能化等に伴って設定項目の数は増大している。ユーザが所望の設定項目を見出し易くするため、複数の設定項目は、所定の基準に従って分類され複数のタブ画面に分けて表示される。なお、これらのタブ画面は、それぞれ、所定の基準に従って分類された所定の項目（固定項目）を有することから、「固定タブ画面」とも称される。
【０００４】
さらに、ユーザごとのカスタマイズを許容してユーザの操作性を向上させる技術として、特許文献１に記載の技術が存在する。
【０００５】
特許文献１においては、複数のタブ画面内の複数の設定項目の中から、ユーザが１又は複数の所望の選択項目を選択し、選択された設定項目を１つの設定画面に集約して配置する技術が記載されている。選択された１又は複数の設定項目を集約した１つの設定画面は、「集約画面」あるいは「編集可能画面」なども表現される。また、当該設定画面は、ユーザによる所望の選択項目（自分用の設定項目）が配置されるタブ画面であることから、「Ｍｙタブ」画面などとも表現される。
【先行技術文献】
【特許文献】
【０００６】
【特許文献１】特開２０１０−１６５３００号公報
【発明の概要】
【発明が解決しようとする課題】
【０００７】
ところで、複数の設定項目に関し、プリンタ装置の仕様等に起因して、互いに組み合わせて設定することができない設定内容が存在する。たとえば、プリンタドライバに関して、設定項目「印刷種類」の設定内容「小冊子」と設定項目「ページ単位設定」の設定内容「ページ単位設定（有効）」との組み合わせは、設定することが禁止されている。禁止されている設定内容の組み合わせは、禁則設定（禁則条件）などとも表現される。
【０００８】
しかしながら、上記の特許文献１においては、禁則設定は考慮されていない。そのため、禁則設定に係る複数の設定項目が「Ｍｙタブ」画面に登録されていないことも生じ得る。その場合、禁則設定に係る複数の設定項目の設定操作を行う際に、ユーザは複数の設定画面（たとえば、固定タブ画面とＭｙタブ画面）の切換操作を伴うことを要する、という問題が存在する。
【０００９】
なお、禁則設定は非常に複雑であり、ユーザが全ての禁則設定を把握することは困難である。そのため、ユーザが全ての禁則設定を考慮しユーザが複数の設定項目の中から禁則設定に関する複数の設定項目を抽出して「Ｍｙタブ」画面に配置することも困難である。
【００１０】
また、上記のような問題は、Ｍｙタブ画面（集約画面）に設定項目を配置する状況においてのみならず、固定タブ画面への設定項目を配置する状況においても同様に生じ得る。
【００１１】
そこで、この発明の課題は、複数の設定画面の切換操作を伴うことを要さずに、禁則条件に係る複数の設定項目に係る設定内容を簡易に設定することが可能な技術を提供することにある。
【課題を解決するための手段】
【００１２】
上記課題を解決すべく、請求項１の発明は、切換表示可能な複数の設定画面の中から選択された所望の設定画面内の表示項目に関するユーザ設定操作を行うことが可能な項目設定装置であって、第１の設定項目に関する操作を受け付ける受付手段と、前記第１の設定項目との間で禁則設定が生じ得る第２の設定項目を取得する取得手段と、前記第１の設定項目と前記第２の設定項目とを前記複数の設定画面のうちの特定の設定画面内に配置する設定制御手段と、を備えることを特徴とする。
【００１３】
請求項２の発明は、請求項１の発明に係る項目設定装置において、前記特定の設定画面は、ユーザによってカスタマイズされた所望の設定項目を配置することが可能なカスタマイズ画面であることを特徴とする。
【００１４】
請求項３の発明は、請求項２の発明に係る項目設定装置において、前記第１の設定項目は、前記カスタマイズ画面に予め設けられている設定項目であり、前記第２の設定項目は、前記複数の設定画面のうち前記カスタマイズ画面ではない設定画面である非カスタマイズ画面に予め設けられている設定項目であり、前記特定の設定画面は、前記カスタマイズ画面であることを特徴とする。
【００１５】
請求項４の発明は、請求項２の発明に係る項目設定装置において、前記第１の設定項目は、前記複数の設定画面のうち前記カスタマイズ画面ではない設定画面である非カスタマイズ画面に予め設けられている設定項目であり、前記第２の設定項目は、前記カスタマイズ画面に予め設けられている設定項目であり、前記特定の設定画面は、前記カスタマイズ画面であることを特徴とする。
【００１６】
請求項５の発明は、請求項２の発明に係る項目設定装置において、前記受付手段は、前記第１の設定項目に関する設定操作を受け付け、前記取得手段は、前記第１の設定項目に関する前記設定操作に応じて、前記第２の設定項目を取得することを特徴とする。
【００１７】
請求項６の発明は、請求項５の発明に係る項目設定装置において、前記設定制御手段は、前記第１の設定項目と前記第２の設定項目とのうち前記特定の設定画面に未だ配置されていなかった設定項目である未配置設定項目を、前記特定の設定画面に配置することを特徴とする。
【００１８】
請求項７の発明は、請求項６の発明に係る設定項目装置において、前記設定制御手段は、前記未配置設定項目を前記特定の設定画面に配置してよいか否かをユーザに問い合わせ、前記未配置設定項目を前記特定の設定画面に配置してよい旨が指示されたことを条件として、前記未配置設定項目を前記特定の設定画面に配置することを特徴とする。
【００１９】
請求項８の発明は、請求項５の発明に係る設定項目装置において、前記設定制御手段は、前記第１の設定項目に対する設定操作に起因して禁則設定が発生すると、前記第１の設定項目に関する設定内容を前記設定操作におけるユーザ指示に従って新たな設定内容に変更するとともに、前記第２の設定項目を前記新たな設定内容との間で禁則関係を有しない設定内容に設定し、且つ、前記第１の設定項目を有する第１の設定画面に前記第２の設定項目を配置することを特徴とする。
【００２０】
請求項９の発明は、請求項５の発明に係る設定項目装置において、前記設定制御手段は、前記第１の設定項目に対する設定操作に起因して禁則設定が発生すると、前記第１の設定項目に関する設定内容を前記設定操作におけるユーザ指示に従って新たな設定内容に変更するとともに、前記第２の設定項目を前記新たな設定内容との間で禁則関係を有しない設定内容に設定し、且つ、前記第２の設定項目を有する第２の設定画面に前記第１の設定項目を配置することを特徴とする。
【００２１】
請求項１０の発明は、請求項５の発明に係る設定項目装置において、前記設定制御手段は、前記第１の設定項目に対する設定操作に起因して禁則設定が発生すると、前記第１の設定項目に関する設定内容をユーザ指示に従わずに元の設定内容に戻すとともに、前記第１の設定項目と前記第２の設定項目とを前記特定の設定画面に配置することを特徴とする。
【００２２】
請求項１１の発明は、請求項１の発明に係る設定項目装置において、前記設定制御手段は、前記特定の設定画面内において前記第１の設定項目と前記第２の設定項目とを隣接位置に配置することを特徴とする。
【００２３】
請求項１２の発明は、請求項１１の発明に係る設定項目装置において、前記設定制御手段は、前記第１の設定項目と前記第２の設定項目とが前記特定の設定画面に既に配置されている状態において、前記第１の設定項目に対する操作によって前記第１の設定項目と前記第２の設定項目との両者の間に禁則関係が生じたことを検出すると、前記両者を隣接位置に再配置することを特徴とする。
【００２４】
請求項１３の発明は、請求項２の発明に係る項目設定装置において、前記受付手段は、前記第１の設定項目を登録対象項目として指定して前記カスタマイズ画面に登録する登録操作を受け付け、前記取得手段は、前記第１の設定項目に関する前記登録操作に応じて、前記第２の設定項目を取得し、前記設定制御手段は、前記第１の設定項目に関する前記登録操作に応じて、前記第１の設定項目のみならず前記第２の設定項目をも前記カスタマイズ画面に登録して配置することを特徴とする。
【００２５】
請求項１４の発明は、請求項２の発明に係る項目設定装置において、前記設定制御手段は、前記第１の設定項目に関する操作に応じて前記第２の設定項目を前記カスタマイズ画面内に追加配置する自動追加動作を実行し、前記設定制御手段は、前記カスタマイズ画面内において、前記自動追加動作によって登録された設定項目である自動登録項目と、ユーザの明示の指示に応じて登録された設定項目である手動登録項目とを互いに異なる表示態様で表示させることを特徴とする。
【００２６】
請求項１５の発明は、請求項２の発明に係る項目設定装置において、前記設定制御手段は、前記第１の設定項目に関する操作に応じて前記第２の設定項目を前記カスタマイズ画面内に追加配置する自動追加動作を実行し、前記設定制御手段は、前記カスタマイズ画面内において、前記自動追加動作に応じて登録された設定項目である自動登録項目と、ユーザの明示の指示に応じて登録された設定項目である手動登録項目とを互いに異なる表示欄に分離して表示させることを特徴とする。
【００２７】
請求項１６の発明は、請求項１５の発明に係る項目設定装置において、前記設定制御手段は、前記自動登録項目のうちの指定設定項目に対する移動指示がユーザにより付与されると、当該指定設定項目を、前記自動登録項目を表示する第１の表示欄から、前記手動登録項目を表示する第２の表示欄へと移動することを特徴とする。
【００２８】
請求項１７の発明は、請求項２の発明に係る項目設定装置において、前記設定制御手段は、前記第１の設定項目に関する操作に応じて前記第２の設定項目を前記カスタマイズ画面内に追加配置する自動追加動作を実行し、前記設定制御手段は、前記自動追加動作に応じて前記カスタマイズ画面内に登録された設定項目である自動登録項目のうちの複数の指定設定項目を一括的に削除する削除指示がユーザにより付与されると、当該複数の指定設定項目を前記カスタマイズ画面から削除することを特徴とする。
【００２９】
請求項１８の発明は、請求項２の発明に係る項目設定装置において、前記設定制御手段は、前記第１の設定項目に関する操作に応じて前記第２の設定項目を前記カスタマイズ画面内に追加配置する自動追加動作を実行し、前記設定制御手段は、前記自動追加動作に応じて前記カスタマイズ画面内に登録された設定項目である自動登録項目の数が所定数に到達すると、１または複数の自動登録項目を前記カスタマイズ画面から削除することを特徴とする。
【００３０】
請求項１９の発明は、請求項２の発明に係る項目設定装置において、前記設定制御手段は、前記カスタマイズ画面内に登録された設定項目のうちの指定設定項目に対する削除指示がユーザにより付与されると、当該指定設定項目に関連して登録された設定項目をも連動して前記カスタマイズ画面から削除することを特徴とする。
【００３１】
請求項２０の発明は、請求項２の発明に係る項目設定装置において、前記設定制御手段は、前記カスタマイズ画面内に登録された設定項目のうちの指定設定項目に対する移動指示がユーザにより付与されると、当該指定設定項目に関連して登録された設定項目をも連動して前記カスタマイズ画面内において移動することを特徴とする。
【００３２】
請求項２１の発明は、請求項１の発明に係る項目設定装置において、前記特定の設定画面は、所定の基準に従って分類された所定の設定項目を有していた規定設定画面であり、前記受付手段は、前記複数の設定画面のうちの前記特定の設定画面である第１の設定画面内の前記第１の設定項目に関する設定操作を受け付け、前記取得手段は、前記第１の設定項目に関する前記設定操作に応じて、前記複数の設定画面のうちの第２の設定画面内の前記第２の設定項目を取得し、前記設定制御手段は、前記第１の設定項目と前記第２の設定項目とを前記第１の設定画面内に配置することを特徴とする。
【００３３】
請求項２２の発明は、コンピュータに、ａ）切換表示可能な複数の設定画面に配置された複数の設定項目のうち第１の設定項目に関するユーザ操作を受け付けるステップと、ｂ）前記第１の設定項目との間で禁則設定が生じ得る第２の設定項目を、前記複数の設定項目の中から検索して取得するステップと、ｃ）前記第１の設定項目と前記第２の設定項目とを前記複数の設定画面のうちの特定の設定画面内に配置するステップと、を実行させるためのプログラムであることを特徴とする。
【００３４】
請求項２３の発明は、切換表示可能な複数の設定画面の中から選択された所望の設定画面内の表示項目に関するユーザ設定操作を行うことが可能な画像形成装置であって、第１の設定項目に関する操作を受け付ける受付手段と、前記第１の設定項目との間で禁則設定が生じ得る第２の設定項目を取得する取得手段と、前記第１の設定項目と前記第２の設定項目とを前記複数の設定画面のうちの特定の設定画面内に配置する設定制御手段と、を備えることを特徴とする。
【発明の効果】
【００３５】
請求項１ないし請求項２３に記載の発明によれば、複数の設定画面の切換操作を伴うことを要さずに、禁則条件に係る複数の設定項目に係る設定内容を簡易に設定することが可能である。
【図面の簡単な説明】
【００３６】
【図１】プリントシステムの構成を示す概略図である。
【図２】ＭＦＰの機能ブロック図である。
【図３】コンピュータの機能ブロック図である。
【図４】第１実施形態に係る動作を示すフローチャートである。
【図５】プリンタドライバ画面（変更前）を示す図である。
【図６】ダイアログ画面を示す図である。
【図７】プリンタドライバ画面（変更後）を示す図である。
【図８】ダイアログ画面を示す図である。
【図９】ダイアログ画面を示す図である（第２実施形態）。
【図１０】Ｍｙタブ画面（変更後）を示す図である。
【図１１】Ｍｙタブ画面（変更前）を示す図である（第３実施形態）。
【図１２】操作対象の固定タブ画面を示す図である。
【図１３】ダイアログ画面を示す図である。
【図１４】Ｍｙタブ画面（変更後）を示す図である。
【図１５】第３実施形態に係る動作を示すフローチャートである。
【図１６】Ｍｙタブ画面を示す図である（第４実施形態）。
【図１７】Ｍｙタブ画面（再配置後）を示す図である。
【図１８】項目登録画面を示す図である（第５実施形態）。
【図１９】ダイアログ画面を示す図である。
【図２０】項目登録画面を示す図である
【図２１】固定タブ画面を示す図である（第６実施形態）。
【図２２】Ｍｙタブ画面を示す図である。
【図２３】第７実施形態に係る動作を示すフローチャートである。
【図２４】固定タブ画面（変更前）を示す図である（第７実施形態）。
【図２５】ダイアログ画面を示す図である。
【図２６】固定タブ画面（変更後）を示す図である。
【図２７】Ｍｙタブ画面を示す図である（第８実施形態）。
【図２８】Ｍｙタブ画面（変更前）を示す図である（第９実施形態）。
【図２９】Ｍｙタブ画面（変更後）を示す図である。
【図３０】Ｍｙタブ画面（項目移動前）を示す図である。
【図３１】Ｍｙタブ画面（項目移動後）を示す図である。
【図３２】リセットボタンを有するＭｙタブ画面を示す図である。
【図３３】ダイアログ画面を示す図である。
【図３４】リセットボタン押下後のＭｙタブ画面を示す図である。
【図３５】自動削除動作直前のＭｙタブ画面を示す図である。
【図３６】ダイアログ画面を示す図である。
【図３７】自動削除動作後のＭｙタブ画面を示す図である。
【図３８】Ｍｙタブ画面（項目削除前）を示す図である。
【図３９】ダイアログ画面を示す図である。
【図４０】Ｍｙタブ画面（項目削除後）を示す図である。
【図４１】Ｍｙタブ画面（項目移動前）を示す図である。
【図４２】ダイアログ画面を示す図である。
【図４３】Ｍｙタブ画面（項目移動後）を示す図である。
【発明を実施するための形態】
【００３７】
以下、本発明の実施形態を図面に基づいて説明する。
【００３８】
＜１．第１実施形態＞
＜１−１．システム構成概略＞
図１は、マルチ・ファンクション・ペリフェラル（Multi-Functional Peripheral）（ＭＦＰとも略称する）１０とコンピュータ９０とを備えるプリントシステム１００の構成を示す概略図である。
【００３９】
ＭＦＰ１０は、画像形成装置として機能する。より具体的には、ＭＦＰ１０は、スキャナ機能、プリンタ機能、コピー機能およびファクシミリ通信機能などを備える装置（複合機とも称する）として構成される。
【００４０】
ＭＦＰ１０は、ネットワークＮＷを介してコンピュータ９０に接続されており、当該コンピュータ９０との間でデータの送受信が可能である。なお、ネットワークＮＷは、ＬＡＮ（Local Area Network）およびインターネットなどの各種のネットワークを含む。
【００４１】
特に、ＭＦＰ１０は、コンピュータ９０からのプリントジョブを実行するプリンタとして機能する。具体的には、コンピュータ９０は、当該コンピュータ９０にインストールされているプリンタドライバ（ソフトウエアプログラム）等を介して、ＭＦＰ１０に対してプリントジョブを送信する。一方、ＭＦＰ１０は、コンピュータ９０から送信されてきたプリントジョブを受信し、当該プリントジョブを実行する。これによって、ＭＦＰ１０による印刷出力処理が実行される。
【００４２】
具体的には、図２の機能ブロック図に示すように、ＭＦＰ１０は、画像読取部２、印刷出力部３、通信部４、格納部５、入出力部６およびコントローラ９等を備えており、これらの各部を複合的に動作させることによって、各種の機能を実現する。
【００４３】
画像読取部２は、ＭＦＰ１０の所定の位置に載置された原稿を光学的に読み取って、当該原稿の画像データ（原稿画像とも称する）を生成する処理部である。
【００４４】
印刷出力部３は、対象画像に関する画像データに基づいて紙などの各種の媒体に画像を印刷出力する出力部である。
【００４５】
通信部４は、公衆回線等を介したファクシミリ通信を行うことが可能な処理部である。さらに、通信部４は、通信ネットワークＮＷを介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用され、当該ネットワーク通信を利用することによって、ＭＦＰ１０は、所望の相手先との間で各種のデータ（利用情報データ等を含む）を授受することが可能である。また、ＭＦＰ１０は、このネットワーク通信を利用することによって、コンピュータ９０からのプリントジョブを受信することなども可能である。
【００４６】
格納部５は、ハードディスクドライブ（ＨＤＤ）等の格納装置で構成される。この格納部５には、画像読取部２等で生成された原稿画像（画像データ）が格納される。また、格納部５においては、コンピュータ９０から送信されてきたプリントジョブが一時的に格納される。
【００４７】
入出力部６は、ＭＦＰ１０に対する入力を受け付ける操作入力部６１と、各種情報の表示出力を行う表示部６２とを備えている。詳細には、ＭＦＰ１０には操作パネル６３（図１参照）が設けられている。この操作パネル６３は、液晶表示パネルに圧電センサ等が埋め込まれて構成されており、表示部６２の一部として機能するとともに、操作入力部６１の一部としても機能する。
【００４８】
コントローラ９は、ＭＦＰ１０に内蔵され、ＭＦＰ１０を統括的に制御する制御装置であり、ＣＰＵと、各種の半導体メモリ（ＲＡＭおよびＲＯＭ等）とを備えて構成される。コントローラ９の制御下において各種の処理部が動作することによって、ＭＦＰ１０の各種の機能が実現される。例えば、コントローラ９の制御下において、画像読取部２を用いて所望の画像を光学的に読み取ることによって、原稿をスキャニングした画像（原稿画像）が取得され、スキャナ機能が実現される。また、コントローラ９は、次述するような各種の処理をも制御する。
【００４９】
コントローラ９は、ＣＰＵにおいて、ＲＯＭ（例えば、ＥＥＰＲＯＭ等）内に格納されている所定のソフトウエアプログラム（以下、単にプログラムとも称する）ＰＧ１を実行することによって、各種の処理部を実現する。
【００５０】
具体的には、コントローラ９は、印刷制御部１１、プリントジョブ受付部１３および通信制御部１５を含む各種の処理部を実現する。
【００５１】
印刷制御部１１は、印刷出力部３の動作等を制御する。
【００５２】
プリントジョブ受付部１３は、コンピュータ９０から送信されてきたプリントジョブを通信部４および通信制御部１５と協働して受信する。
【００５３】
通信制御部１５は、通信部４と協働して通信動作を制御する。
【００５４】
図３は、コンピュータ９０の機能的構成を示すブロック図である。
【００５５】
コンピュータ９０は、いわゆるパーソナルコンピュータとして構成される。
【００５６】
コンピュータ９０は、入出力部９７を備えている。入出力部９７は、コンピュータ９０に対する操作入力を受け付ける操作入力部９７ａと、各種情報の表示出力を行う表示部９７ｂとを有している。たとえば、操作入力部９７ａとしてはキーボードおよびマウス等が設けられ、表示部９７ｂとしては液晶表示装置等が設けられる。操作入力部９７ａによって、プリンタドライバの各種の設定項目に関する操作が受け付けられる。
【００５７】
また、コンピュータ９０は、ＣＰＵおよび半導体メモリ等を備えている。コンピュータ９０は、そのＣＰＵにおいて、所定のソフトウエアプログラム（以下、単にプログラムとも称する）ＰＧ２を実行することによって、各種の処理部を実現する。具体的には、図３に示されるように、コンピュータ９０は、送信制御部９１、受信制御部９２、表示制御部９３、禁則項目取得部９４および設定制御部９５等の各種の処理部を実現する。
【００５８】
コンピュータ９０には、プリンタドライバ（ソフトウエアプログラム）ＰＧ２がインストールされており、コンピュータ９０は当該プリンタドライバを用いてＭＦＰ１０に対してプリント出力指示を送出することが可能である。
【００５９】
送信制御部９１は、ＭＦＰ１０に対してプリントジョブを送信する動作を制御し、受信制御部９２は、ＭＦＰ１０からの各種情報を受信する動作を制御する。
【００６０】
表示制御部９３は、コンピュータの表示部９７ｂにおける表示動作を制御する。たとえば、表示制御部９３は、プリンタドライバの各種の設定画面等をコンピュータ９０の表示部９７ｂに表示する動作を制御する。
【００６１】
禁則項目取得部９４は、ユーザの操作対象に係る設定項目との間で禁則設定（禁則条件）が生じ得る別の設定項目を取得する。
【００６２】
設定制御部９５は、各設定項目に関する設定内容を制御する。また、設定制御部９５は、禁則設定に係る２以上の設定項目を複数の設定画面（タブ画面）のうちの特定の設定画面（同一の設定画面内）に配置する。
【００６３】
コンピュータ９０は、切換表示可能な複数の設定画面（タブ画面）の中から選択された所望の設定画面内の表示項目に関するユーザ設定操作を行うことが可能な装置（項目設定装置）として動作する。
【００６４】
＜１−２．動作＞
以下では、プリントシステム１００における動作について説明する。
【００６５】
ユーザは、コンピュータ９０を用いて印刷対象の文書（プリント文書とも称する）を作成し、マウス操作等によってプリンタドライバの設定画面ＧＲをコンピュータ９０の表示部９７ｂに表示させる。そして、ユーザは、ＭＦＰ１０（印刷出力機器）に関するプリンタドライバ画面ＧＲ（図５参照）を用いて当該プリントに関する各種の設定項目を設定する。
【００６６】
ユーザがこのようなプリンタドライバ画面ＧＲを用いて適宜にプリント内容を指定してＯＫボタンＢＮ１を押下すると、コンピュータ９０は、当該指定内容を反映したプリントジョブを生成する。そして、コンピュータ９０はＭＦＰ１０に対して当該プリントジョブを送信する。ＭＦＰ１０は、当該プリントジョブを受信すると、当該プリントジョブに基づいて印刷出力動作を実行し印刷出力物を生成する。
【００６７】
図５は、プリンタドライバ画面（ＭＦＰ１０に関する印刷設定用のプロパティ画面）ＧＲの一例を示す図である。図５に示すように、この画面ＧＲには、「Ｍｙタブ（マイタブ）」、「基本設定」、「レイアウト」、「仕上げ」、「カバーシート／挿入紙」、「スタンプ／ページ印字」、「画像品質」などの複数のタブにそれぞれ対応する複数の設定画面ＧＴが切換表示される。各設定画面ＧＴは、画面ＧＲ内の上部の対応タブをマウスでクリックすることなどによって、表示部９７ｂ（詳細にはプリンタドライバ画面ＧＲ）において選択的に表示される。各設定画面ＧＴは、「タブ画面」あるいは「サブ設定画面」とも称される。このように、切換表示可能な複数の設定画面（タブ画面）ＧＴの中から選択された所望の設定画面が表示される。そして、当該所望の設定画面内の表示項目に関するユーザ設定操作が行われる。
【００６８】
これらの複数の設定画面のうち、「Ｍｙタブ」以外の設定画面（ここでは、「基本設定」、「レイアウト」、「仕上げ」、「カバーシート／挿入紙」、「スタンプ／ページ印字」、「画像品質」、「その他」）は、プリンタドライバにおいて予め準備されている設定画面であり、所定の基準に従って分類された所定の設定項目をそれぞれ有している規定の設定画面（規定設定画面）である。これらのタブ画面は、それぞれ、所定の基準に従って分類された所定の項目（原則として固定された項目）を有することから、「固定タブ画面」とも称される。なお、この規定設定画面は、複数の設定画面のうちカスタマイズ画面（後述）ではない設定画面であることから、当該カスタマイズ画面と対比して、「非カスタマイズ画面」などとも称される。
【００６９】
一方、「Ｍｙタブ」に対応するタブ画面（「Ｍｙタブ」画面とも称する）は、ユーザによるカスタマイズが可能な設定画面であり、ユーザによってカスタマイズされた所望の設定項目を配置することが可能な設定画面（カスタマイズ画面とも称される）である。「Ｍｙタブ」画面においては、複数のタブ画面内の複数の設定項目の中から、ユーザが１又は複数の所望の選択項目を選択し、選択された設定項目を１つの設定画面に集約して配置することができる（図１８および図２１等参照）。「Ｍｙタブ」画面は、選択された１又は複数の設定項目が集約された設定画面であることから、「集約画面」あるいは「編集可能画面」なども表現される。
【００７０】
ここにおいて、「Ｍｙタブ」以外の設定画面（「固定タブ画面」）のみによっても、各種の設定を行うことが可能である。ただし、各種の設定項目は複数の設定画面に分散して配置されているため、ユーザは、複数の設定画面の相互間の往来操作を伴いつつ、複数の設定画面に跨がって配置されている複数の設定項目を設定することが求められる。
【００７１】
これに対して、「Ｍｙタブ」設定画面は、ユーザが良く使う複数の設定項目が集約された設定画面である。１つの設定画面「Ｍｙタブ」を用いることによれば、ユーザは、複数の設定画面相互間の往来操作を伴うこと無く、複数の設定項目の内容を比較的簡易な操作で設定することが可能である。
【００７２】
ところで、異なる設定項目に関する複数の設定内容の相互間においては、機能制限および／または装置仕様等に起因して、組み合わせて設定できない設定内容が存在する。組み合わせた状態での利用が禁止されている２以上の設定内容は、禁則設定あるいは禁則条件などとも称される。
【００７３】
たとえば、設定項目「印刷種類」の設定内容「小冊子」と設定項目「ページ単位設定」の設定内容「ページ単位設定（有効）」との組み合わせは、設定することが禁止されている。換言すれば、「小冊子」と「ページ単位設定（有効）」とは、同時に設定することができない設定内容の組合せの１つである。「小冊子」は、複数のページを１枚の用紙に割り付けて（詳細には片面に２ページずつ両面に合計４つのページを割り付けて）印刷出力する印刷出力形態（印刷種類）、を示す設定内容である。「小冊子」設定によって印刷出力された複数の用紙を重ねた状態で、当該複数の用紙の長辺方向における中央部分をその短辺に平行な方向に沿って折ることによって、小冊子を構成することが可能である。また、「ページ単位設定（有効）」は、ページ単位で各種の内容を設定するページ単位設定を有効化する設定内容である。「小冊子」と「ページ単位設定（有効）」とは、同時に設定することができず、互いに組み合わせた状態での設定が禁じられている。
【００７４】
このような禁則条件（禁則設定）が発生する際には、複数の設定項目のうちのいずれかの設定内容を変更することが求められる。
【００７５】
たとえば、ユーザが禁則条件の発生に気付かずに２つの設定内容（「ページ単位設定（有効）」および「小冊子印刷」）を設定しようとする場合を想定する。このような場合において、たとえば、ユーザは、まず固定タブ画面「カバーシート／挿入紙」内の設定項目「ページ単位設定」を有効（チェックボックスをオン）に設定する。つぎに、ユーザは、タブ切換操作を行って、固定タブ画面「レイアウト」内の設定項目「印刷種類」を「小冊子」に設定する。ここで、仮に、プリンタドライバが禁則条件発生を判定し、禁則条件の発生をユーザに提示するようにすると、ユーザは、「ページ単位設定（有効）」と「小冊子」とのうちの少なくとも一方の設定内容を変更することを要求される。当該要求に応じて、たとえば、ユーザは、再びタブ切換操作を行った後、固定タブ画面「カバーシート／挿入紙」内の設定項目「ページ単位設定」を無効化する設定操作を行う。
【００７６】
このような一連の設定操作においては、煩わしいタブの切替操作を行うことが求められるため、ユーザの操作性は十分ではない。
【００７７】
また、このような禁則条件は、上述のようなＭｙタブ画面の利用時においても同様に発生する。
【００７８】
たとえば、仮に、設定項目「印刷種類」が「Ｍｙタブ」設定画面内に配置されている場合を想定する。ただし、他方の設定項目「ページ単位設定」は、固定タブ画面「カバーシート／挿入紙」内にのみ設けられており且つ「Ｍｙタブ」設定画面内には設けられていない場合を想定する。また、固定タブ画面「カバーシート／挿入紙」内の設定項目「ページ単位設定」は有効に設定されているものとする。
【００７９】
この状況において、「Ｍｙタブ」設定画面内の設定項目「印刷種類」の設定内容を「片面」から「小冊子印刷」に変更するユーザ操作が行われると、設定項目「印刷種類」の設定変更後の設定内容「小冊子印刷」と別の設定項目の設定内容「ページ単位設定（有効）」との間に禁則設定（禁則条件）が発生する。
【００８０】
ここで、禁則条件が発生した旨が判定され、禁則条件の発生がユーザに提示されるときには、ユーザは、「小冊子印刷」と「ページ単位設定（有効）」とのうちの少なくとも一方の設定内容を変更することを要求される。このような再設定操作においては、上述のように煩わしいタブの切替操作を行うことが求められるため、ユーザの操作性は十分ではない。
【００８１】
そこで、この実施形態においては、設定項目「印刷種類」を設定内容「小冊子」に変更する設定操作に応じて、設定内容「小冊子」との間で禁則設定が生じ得る設定項目（「ページ単位設定」および「光沢モード」）をプリンタドライバ（詳細には禁則項目取得部９４）が自動的に検出（取得）する態様を例示する。また、設定制御部９５は、設定操作の対象に係る設定項目「印刷種類」と、当該設定項目に対応して検出された禁則設定に係る設定項目（具体的には、「ページ単位設定」および「光沢モード」）との双方が同一のタブ画面「Ｍｙタブ」内に配置される態様を例示する。これによれば、禁則に係る複数の設定項目（「印刷種類」、「ページ単位設定」および「光沢モード」）が１つの設定画面「Ｍｙタブ」内に集約配置されて表示される。したがって、複数の設定画面（タブ画面）に跨がって設定操作を行わずに済むため、操作性を向上させることが可能である。
【００８２】
図４は、このような態様に係る動作を示すフローチャートである。また、図５は、設定項目「印刷種類」が「Ｍｙタブ」設定画面内に予め配置されている状態を示している。ただし、この時点では、設定項目「ページ単位設定」は、固定タブ画面「カバーシート／挿入紙」内にのみ予め設けられており、「Ｍｙタブ」設定画面内には未だ設けられていない。その後、操作ユーザによって、「Ｍｙタブ」設定画面内の設定項目「印刷種類」に関して、「片面」から「小冊子（小冊子印刷）」への設定変更操作が行われると、当該設定変更操作（設定操作）が受け付けられ、「Ｍｙタブ」設定画面は図７のような内容に変更される。このような動作について、図４のフローチャートを参照しながら詳細に説明する。
【００８３】
まず、ステップＳ１１においては、操作ユーザの操作内容をプリンタドライバが取得する。ここでは、プリンタドライバは、「Ｍｙタブ」内の設定項目「印刷種類」を「小冊子」に変更すべき旨の操作内容を取得する。
【００８４】
そして、ステップＳ１２において、禁則設定検出動作が実行される。具体的には、プリンタドライバ（詳細には、禁則項目取得部９４）は、ステップＳ１１で取得された操作内容に基づき、「小冊子」設定に関連する禁則設定（禁則条件）を検索し、当該禁則設定の存否を判定する。たとえば、「小冊子」設定に関連する禁則設定（禁則条件）として、「ページ単位設定（有効）」と「光沢モード（有効）」とが、切換表示可能な複数のタブ画面に分散して配置されている複数の設定項目の中から抽出されて取得される。
【００８５】
「小冊子」設定に関連する禁則設定（禁則条件）が存在する旨が判定されると、ステップＳ１２からステップＳ１３に進む。なお、「小冊子」設定に関連する禁則設定（禁則条件）が存在しない旨が判定されるときには、本ルーチン処理は終了する。
【００８６】
ステップＳ１３においては、禁則発生に伴う設定変更の可否を問い合わせるメッセージ画面が表示される。たとえば、図６に示すように、「指定された設定を使用するために、以下の設定を変更します。よろしいですか？  ページ単位設定＝＞オフ、光沢モード＝＞オフ」の文字を備えて構成されるメッセージ画面（ダイアログ画面）ＧＤ１１が表示される。また、当該メッセージ画面ＧＤ１１内の「はい」ボタン或いは「いいえ」ボタンが押下されると、ステップＳ１４の分岐処理に進む。「いいえ」ボタンが押下されると、本ルーチン処理は終了する。一方、「はい」ボタンが押下されると、ステップＳ１４からステップＳ１５に進む。
【００８７】
ステップＳ１５においては、ステップＳ１１で取得された操作情報に基づいて、操作対象の設定項目（ここでは「印刷種類」）の設定内容（画面表示上のみならずメモリ上での設定内容）が新たな内容（ここでは「小冊子」）に変更される。換言すれば、表示上の設定内容が実際の設定内容（メモリ上での設定内容）に反映される。また、ステップＳ１５においては、ステップＳ１３での設定変更の許可応答に基づいて、設定項目「ページ単位設定」が無効化され且つ設定項目「光沢モード」も無効化される。
【００８８】
ステップＳ１６においては、項目を追加すべきか否かが判定される。たとえば、ステップＳ１２で禁則条件が検出され且つ当該禁則条件に係る設定項目のいずれかが「Ｍｙタブ」内に未だ存在しない場合には、当該禁則条件に係る設定項目を追加すべき旨が判定され、ステップＳ１７に進む。一方、当該禁則条件に係る設定項目の全てが「Ｍｙタブ」内に既に存在する場合には、当該禁則条件に係る項目の追加は不要である旨が判定される。
【００８９】
ステップＳ１７においては、項目の追加処理が行われる。具体的には、ステップＳ１６で追加すべきと判定された追加項目（禁則条件に係る設定項目であり且つＭｙタブ内に未だ存在しない設定項目）を取得し、当該項目をリストに追加して、当該リストを更新する（ステップＳ１８）。これにより、Ｍｙタブ内における配置が更新される。その後、「Ｍｙタブ」画面の更新表示処理が行われる（ステップＳ１９）。その結果、図７（特に点線矩形部分参照）に示すように、「Ｍｙタブ」画面内において、２つの設定項目（「ページ単位設定」および「光沢モード」）が「印刷種類」の直下位置に追加される。このようにして、「Ｍｙタブ」画面に未だ配置されていなかった設定項目である未配置設定項目（「ページ単位設定」および「光沢モード」）が「Ｍｙタブ」画面に配置される。
【００９０】
このような態様によれば、設定項目「印刷種類」を設定内容「小冊子」に変更する設定操作に応じて、設定内容「小冊子」との間で禁則設定が生じ得る設定項目（「ページ単位設定」および「光沢モード」）をプリンタドライバ（詳細には禁則項目取得部９４）が自動的に検出する。そして、設定制御部９５は、設定操作の対象に係る設定項目「印刷種類」と、当該設定項目に対応して検出された禁則設定に係る設定項目（具体的には、「ページ単位設定」および「光沢モード」）との双方を同一のタブ画面「Ｍｙタブ」内に集約して配置する。したがって、複数の設定画面の切換操作を伴うことを要さずに、禁則条件に係る複数の設定項目に係る設定内容を簡易に設定することが可能である。特に、これら３つの設定項目「印刷種類」、「ページ単位設定」および「光沢モード」は、近接して配置（隣接配置）されるので、タブ切換操作を伴うことなく且つ視線移動を最小限にとどめつつ、禁則条件に係る複数の設定項目に係る設定内容を簡易に設定することが可能である。
【００９１】
また、ここでは、設定制御部９５は、設定項目「印刷種類」に対する設定操作に起因して禁則設定が発生すると、設定項目「印刷種類」に関する設定内容を設定操作におけるユーザ指示に従って新たな設定内容（「小冊子」）に変更している。さらに、これに加えて、設定制御部９５は、禁則設定に係る設定項目を「Ｍｙタブ」画面に配置し且つ当該禁則設定に係る各設定項目（具体的には、「ページ単位設定」および「光沢モード」）を、「印刷種類」に関する新たな設定内容（「小冊子」）との間で禁則関係を有しない設定内容（それぞれ「無効」）に設定する。すなわち、「ページ単位設定」および「光沢モード」は、既に無効化された状態で「Ｍｙタブ」画面に表示されている。これによれば、「小冊子」と禁則関係にあるこれらの設定内容を手動で無効化するための設定操作を行うことを要しないので、非常に高い操作性を得ることができる。
【００９２】
なお、上記においては、ステップＳ１６にて当該禁則条件に係る設定内容が「Ｍｙタブ」内に未だ存在しない場合には、当該禁則条件に係る項目を追加すべき旨が直ちに判定され、ステップＳ１７に進む場合が例示されている。しかしながら、これに限定されず、ステップＳ１６（あるいはその直後）において、さらに次のようなダイアログ画面ＧＤ１２（図８参照）を表示してユーザの意思を確認した後に、ステップＳ１７に進むようにしてもよい。
【００９３】
図８は、ダイアログ画面ＧＤ１２を示す図である。ダイアログ画面ＧＤ１２は、特定の設定項目（ここでは、「ページ単位設定」と「光沢モード」との２つの設定項目）の「Ｍｙタブ」への追加登録の可否を確認する画面である。
【００９４】
このような画面ＧＤ１２において「いいえ」ボタンが押下されると（換言すれば、追加禁止指示が付与されると）、ステップＳ１７以降には進まず、項目の追加処理は行われない。一方、このような画面ＧＤ１２において「はい」ボタンが押下されると（換言すれば、追加許可指示が付与されると）、ステップＳ１７以降に進み、設定項目の追加登録処理が行われる。
【００９５】
このように、設定制御部９５は、未配置設定項目を「Ｍｙタブ」に配置してよいか否かをユーザに問い合わせ、未配置設定項目を「Ｍｙタブ」に配置してよい旨が指示されたことを条件として、未配置設定項目を「Ｍｙタブ」に配置する。
【００９６】
これによれば、項目追加登録の可否についてユーザの意思を反映させることが可能である。特に、禁則条件に伴う追加登録数が多くなり過ぎると、項目追加対象の設定画面（「Ｍｙタブ」画面等）が却って見難くなることがある。このような場合において、当該設定画面内の項目数等に応じてユーザが追加登録の可否を決定できれば、カスタマイズ性が向上し、より使い易い画面を構築することが可能である。
【００９７】
なお、その他の態様においても同様である。たとえば、後述するステップＳ３６（図１５参照）等において、ダイアログ画面ＧＤ１２と同様の確認画面を用いて、項目追加の可否をユーザが選択できるようにしてもよい。
【００９８】
＜２．第２実施形態＞
第２実施形態は、第１実施形態の変形例である。以下では、第１実施形態との相違点を中心に説明する。
【００９９】
上記第１実施形態においては、「Ｍｙタブ」内で操作された設定内容に対する禁則条件が存在する場合に、操作対象の設定項目に係る設定内容が操作指示通りの内容（「小冊子」）に変更された上で、禁則条件に係る設定項目が「Ｍｙタブ」内に追加される態様、が例示されている。
【０１００】
この第２実施形態においては、「Ｍｙタブ」内で操作された設定内容に対する禁則条件が存在する場合に、操作対象の設定項目に係る設定内容が操作指示通りの内容（「小冊子」）には変更されず元の設定内容（「片面」）に一旦戻された上で、禁則条件に係る設定項目が「Ｍｙタブ」内に追加される態様、が例示される。
【０１０１】
以下では、上記実施形態と同様に、図５のプリンタドライバ画面ＧＲにおいて、「Ｍｙタブ」設定画面内の設定項目「印刷種類」の設定内容を「片面」から「小冊子」に変更するユーザ操作が行われる場合について例示する。
【０１０２】
ただし、この第２実施形態においては、このようなユーザ操作の直後において、操作対象の設定項目「印刷種類」は、操作指示通りの設定内容「小冊子」には変更されず元の設定内容「片面」に一旦戻される。具体的には、設定項目「印刷種類」に対する設定操作に起因して禁則設定が発生すると、設定制御部９５は、設定項目「印刷種類」に関する設定内容をユーザ指示（「小冊子」）に従わずに元の設定内容（「片面」）に戻す。
【０１０３】
その後、設定制御部９５は、図９のようなダイアログ画面ＧＤ２を表示する。このダイアログ画面ＧＤ２は、「現在操作した設定（「小冊子」）は、以下と禁則関係にあるため、両方の設定を組み合わせることはできません。Ｍｙタブに以下の設定を追加しますので、確認した後で設定を変更してください。  ページ単位設定  光沢モード」の文言を含む。ユーザがこの文言を了解しＯＫボタンを押下すると、設定制御部９５は、「Ｍｙタブ」内において「印刷種類」の直下位置（隣接位置）に２つの設定項目（「ページ単位設定」および「光沢モード」）を追加する（図１０参照）。これら２つの設定項目は、「小冊子」との間に禁則関係を有する２つの設定内容（「ページ単位設定（有効）」および「光沢モード（有効）」）に関する設定項目である。
【０１０４】
図１０は、追加後の「Ｍｙタブ」画面ＧＴ２を示す図である。図１０に示すように、設定項目「印刷種類」と、当該設定項目との間に禁則関係を生じ得る別の設定項目（「ページ単位設定」および「光沢モード」）とが、１つの設定画面「Ｍｙタブ」内に集約配置される。換言すれば、設定項目「印刷種類」と禁則条件に係る設定項目（「ページ単位設定」および「光沢モード」）とが１つの設定画面「Ｍｙタブ」内に配置される。したがって、複数の設定画面の切換操作を伴うことを要さずに、禁則条件に係る複数の設定項目（具体的には、「印刷種類」、「ページ単位設定」および「光沢モード」）に係る設定内容を簡易に設定することが可能である。
【０１０５】
＜３．第３実施形態＞
第３実施形態は、第１実施形態の変形例である。以下では、第１実施形態との相違点を中心に説明する。
【０１０６】
上記第１実施形態においては、「Ｍｙタブ」内で操作された設定内容に対する禁則条件が存在する場合に、禁則条件に係る設定項目が「Ｍｙタブ」内に追加される態様、が例示されている。
【０１０７】
この第３実施形態においては、「固定タブ」内で操作された設定内容に対する禁則条件が存在する場合に、「固定タブ」における操作対象の設定項目が「Ｍｙタブ」内に追加される態様、が例示される。端的に言えば、操作対象画面が「固定タブ」である態様が例示される。また、ここでは、操作対象の設定項目に係る設定内容が操作指示の内容（「ページ単位設定（有効）」）の通りに変更される一方で、禁則条件に係る別の設定項目の設定内容（「小冊子」）が禁則設定を回避する内容（「片面」）に変更される。
【０１０８】
ここでは、まず図１１に示すように、プリンタドライバ画面ＧＲにおいて、「Ｍｙタブ」設定画面内の設定項目「印刷種類」が設定内容「小冊子」を有しているものとする。ただし、この時点では、固定タブ画面「カバーシート／挿入紙」内の設定項目「ページ単位設定」は無効化されており、小冊子との間における禁則設定は未だ発生していない。
【０１０９】
この状態において、図１２に示すように、操作者は、タブ切換操作を行って、固定タブ画面「カバーシート／挿入紙」を表示させた後、当該固定タブ画面「カバーシート／挿入紙」内の設定項目「ページ単位設定」に対する設定操作を行う。具体的には、「ページ単位設定」のチェックボックス欄にチェック印を付する。これにより、「ページ単位設定」が有効化される。
【０１１０】
プリンタドライバ（詳細には禁則項目取得部９４）は、この設定操作に伴う、「ページ単位設定（有効）」との間における禁則設定の発生を検出する。具体的には、設定項目「印刷種類」の設定内容「小冊子」が「ページ単位設定（有効）」に対する禁則設定として検出される。そして、設定制御部９５は、このような検出結果に基づき、ダイアログ画面ＧＤ３を表示する（図１３参照）。ダイアログ画面ＧＤ３は、「指定された設定を使用するために、以下の設定を変更します。よろしいですか？  印刷種類＝＞片面」の文言を含む。
【０１１１】
そして、ダイアログ画面ＧＤ３内の「はい」ボタンがユーザによって押下されると、設定制御部９５は、設定項目「印刷種類」の設定内容を「片面」に変更する。また、設定制御部９５は、設定項目「印刷種類」が配置されている「Ｍｙタブ」内において、設定項目「印刷種類」の下側隣接領域に、設定項目「ページ単位設定」を新たに追加配置する。
【０１１２】
この結果、図１４に示すように、禁則関係が生じ得る２つの設定項目（「印刷種類」および「ページ単位設定」）が、１つの設定画面「Ｍｙタブ」内に集約配置されて表示される。そのため、ユーザは、複数の設定画面の切換操作を伴うことを要さずに、禁則条件に係る複数の設定項目に係る設定内容を簡易に設定することが可能である。
【０１１３】
図１５は、このような態様に係る動作を示すフローチャートである。上記のような動作について、図１５のフローチャートを参照しながら詳細に説明する。
【０１１４】
まず、ステップＳ３１においては、操作ユーザの操作内容をプリンタドライバが取得する。ここでは、プリンタドライバは、固定タブ画面「カバーシート／挿入紙」内の設定項目「ページ単位設定」を有効化すべき旨の設定内容（「ページ単位設定（有効）」）を取得する。
【０１１５】
そして、ステップＳ３２において、禁則設定検出動作が実行される。具体的には、プリンタドライバ（詳細には、禁則項目取得部９４）は、ステップＳ３１で取得された操作内容に基づき、「ページ単位設定（有効）」設定に関連する禁則設定（禁則条件）を検索し、当該禁則設定の存否を判定する。たとえば、「ページ単位設定（有効）」設定に関連する禁則設定（禁則条件）として、「小冊子」が検出される。
【０１１６】
「ページ単位設定（有効）」設定に関連する禁則設定（禁則条件）が存在する旨が判定されると、ステップＳ３２からステップＳ３３に進む。なお、「ページ単位設定（有効）」設定に関連する禁則設定（禁則条件）が存在しない旨が判定されるときには、本ルーチン処理は終了する。
【０１１７】
ステップＳ３３においては、禁則発生に伴う設定変更の可否を問い合わせるメッセージ画面ＧＤ３が表示される。メッセージ画面ＧＤ３内の「はい」ボタン或いは「いいえ」ボタンが押下されると、ステップＳ３４の分岐処理に進む。「いいえ」ボタンが押下されると、本ルーチン処理は終了する。一方、「はい」ボタンが押下されると、ステップＳ３４からステップＳ３５に進む。
【０１１８】
ステップＳ３５においては、ステップＳ３１で取得された操作情報に基づいて、操作対象の設定項目（ここでは「ページ単位設定」）の設定内容（固定タブの画面表示上のみならずメモリ上での設定内容）が新たな内容（ここでは「ページ単位設定（有効）」）に変更される。換言すれば、表示上の設定内容が実際の設定内容（メモリ上での設定内容）に反映される。また、ステップＳ３５においては、ステップＳ３３での設定変更の許可応答に基づいて、設定項目「印刷種類」の設定内容が「小冊子」から「片面」へと変更される。
【０１１９】
ステップＳ３６においては、項目を追加すべきか否かが判定される。たとえば、ステップＳ３２で禁則条件が検出され且つ当該禁則条件に係る設定項目のいずれかが「Ｍｙタブ」内に未だ存在しない場合には、当該禁則条件に係る設定項目を追加すべき旨が判定され、ステップＳ３７に進む。一方、当該禁則条件に係る設定項目の全てが「Ｍｙタブ」内に既に存在する場合には、当該禁則条件に係る項目の追加は不要である旨が判定される。
【０１２０】
ステップＳ３７においては、項目の追加処理が行われる。具体的には、ステップＳ３６で追加すべきと判定された追加項目（禁則条件に係る設定項目であり且つＭｙタブ内に未だ存在しない設定項目）を取得し、当該項目をリストに追加して、当該リストを更新する（ステップＳ３８）。
【０１２１】
その後、設定制御部９５は、タブの自動切り替え処理を実行し、固定タブ画面「カバーシート／挿入紙」に代えて「Ｍｙタブ」画面を表示する（ステップＳ１９）。この際、「Ｍｙタブ」画面は更新後の新たな内容で表示される。
【０１２２】
その結果、図１４（特に点線矩形部分参照）に示すように、「Ｍｙタブ」画面内において、設定項目（「ページ単位設定」）が「印刷種類」の直下位置に追加される。このようにして、「Ｍｙタブ」画面に未だ配置されていなかった設定項目である未配置設定項目（「ページ単位設定」）が「Ｍｙタブ」画面に配置される。
【０１２３】
このような態様によれば、固定タブ内の設定項目「ページ単位設定」を「有効」に変更する設定操作に応じて、設定内容「ページ単位設定（有効）」との間で禁則設定が生じ得る設定項目（「印刷種類」）をプリンタドライバ（詳細には禁則項目取得部９４）が自動的に検出する。そして、設定制御部９５は、設定操作の対象に係る設定項目「ページ単位設定」と、当該設定項目に対応して検出された禁則設定に係る設定項目（具体的には、「印刷種類」）との双方を同一のタブ画面「Ｍｙタブ」内に集約して配置する。したがって、複数の設定画面の切換操作を伴うことを要さずに、禁則条件に係る複数の設定項目に係る設定内容を簡易に設定することが可能である。
【０１２４】
また、ここでは、設定制御部９５は、固定タブ内の設定項目「ページ単位設定」に対する設定操作に起因して禁則設定が発生すると、当該設定項目「ページ単位設定」に関する設定内容を設定操作におけるユーザ指示に従って新たな設定内容（「有効」）に変更している。これに加えて、設定制御部９５は、設定項目「印刷種類」の設定内容を、変更操作後の新たな設定内容「ページ単位設定（有効）」との間で禁則関係を有しない設定内容（「片面」）に設定する。すなわち、「小冊子」が、「片面」に変更された状態で「Ｍｙタブ」画面に表示されている。これによれば、ユーザは、「ページ単位設定（有効）」との間で禁則関係にある設定内容「小冊子」を手動で変更するための設定操作を行うことを要しないので、非常に高い操作性を得ることができる。
【０１２５】
＜４．第４実施形態＞
第４実施形態は、第１実施形態の変形例である。以下では、第１実施形態との相違点を中心に説明する。
【０１２６】
上記第１実施形態においては、「Ｍｙタブ」内で操作された設定内容に対する禁則条件が当該「Ｍｙタブ」に未だ登録されていない場合に禁則条件に係る複数の設定項目が「Ｍｙタブ」内に配置される態様、が例示されている。
【０１２７】
この第４実施形態においては、「Ｍｙタブ」内で操作された設定内容に対する禁則条件が当該「Ｍｙタブ」に既に登録され配置されている場合に禁則条件に係る複数の設定項目が「Ｍｙタブ」内の近傍位置（詳細には、隣接位置）に再配置される態様、が例示される。より詳細には、設定項目「印刷種類」に対する操作によって、設定項目「印刷種類」と別の設定項目（「ページ単位設定」および「光沢モード」）との両者の間に禁則関係が生じたことを検出すると、これらの設定項目が隣接位置に再配置される。
【０１２８】
ここでは、まず図１６に示すようなプリンタドライバ画面ＧＲ（図１６参照）が表示されている状況を想定する。
【０１２９】
図１６のプリンタドライバ画面ＧＲは、設定項目「印刷種類」を有する点で図５の画面と共通する一方、設定項目「ページ単位設定」および「光沢モード」をも既に有する点で図５の画面と相違している。これらの設定項目「ページ単位設定」および「光沢モード」は、たとえばユーザによる個別の登録操作に応じて「Ｍｙタブ」内にそれぞれ予め登録されたものであり、より詳細には、設定項目「印刷種類」の登録操作とも別の登録操作によって登録されたものである。ここにおいて、図１６に示すように、設定項目（「ページ単位設定」および「光沢モード」）は、設定項目「印刷種類」に対して上下方向に少し離れた場所（詳細には、さらに別の２つの設定項目「ステーブル」および「カラー選択」を挟んで隔てられた場所）に配置されている。なお、図１６においては、図５と比較して、右側欄ＲＣ１内のスクロールバーの操作に応じて、当該右側欄ＲＣ１内の複数の項目のうち比較的下側の項目が示されている。
【０１３０】
このような状況において、「Ｍｙタブ」設定画面内の設定項目「印刷種類」の設定内容を「片面」から「小冊子」に変更するユーザ操作が行われると、当該ユーザ操作の直後において、操作対象の設定項目「印刷種類」は、操作指示通りの設定内容「小冊子」（指定された設定内容）に変更される。
【０１３１】
その後、図６のダイアログ画面ＧＤ１１と同様のダイアログ画面が表示される。
【０１３２】
ユーザがダイアログ画面内の「はい」ボタンを押下すると、プリンタドライバ（詳細には禁則項目取得部９４）は、ユーザにより指定された設定内容「小冊子」との間に禁則関係を有する２つの設定内容（「ページ単位設定（有効）」および「光沢モード（有効）」）を検出する。そして、設定制御部９５は、２つの設定項目（「ページ単位設定」および「光沢モード」）を「Ｍｙタブ」内で再配置する（図１７参照）。
【０１３３】
図１７は、再配置後の「Ｍｙタブ」を示す図である。図１７のような画面ＧＴ４においては、設定項目「印刷種類」と、当該設定項目との間に禁則関係を生じ得る別の設定項目（「ページ単位設定」および「光沢モード」）との両者が、１つの設定画面「Ｍｙタブ」内の隣接位置に再配置される。そのため、ユーザは、設定項目「印刷種類」と、当該設定項目との間に禁則関係を生じ得る別の設定項目（「ページ単位設定」および「光沢モード」）とに関する設定操作を、タブ切換操作を伴うことなく且つ視線移動を最小限にとどめつつ、比較的容易に実行することが可能である。
【０１３４】
＜５．第５実施形態＞
第５実施形態は、第１実施形態の変形例である。以下では、第１実施形態との相違点を中心に説明する。
【０１３５】
上記第１実施形態においては、「Ｍｙタブ」を用いた操作（より詳細には「設定変更操作」）において、設定内容に対する禁則条件が検出される場合に、禁則条件に係る設定項目が「Ｍｙタブ」内に追加される態様が例示されている。
【０１３６】
この第５実施形態においては、上記の設定画面とは別に設けられる登録画面（詳細には、Ｍｙタブに関する項目登録画面（登録項目編集画面））ＧＥを用いて「Ｍｙタブ」に設定項目を追加する操作（詳細には「登録操作」）において、禁則関係にある２つの設定項目が「Ｍｙタブ」内に追加される態様が例示される。より詳細には、ユーザ操作によって登録対象項目として指定された第１の設定項目（「印刷種類」）と、当該第１の設定項目との間に禁則条件が発生し得る第２の設定項目（「ページ単位設定」および「光沢モード」）との双方が「Ｍｙタブ」内に追加される。
【０１３７】
図１８は、Ｍｙタブに関する項目登録画面（登録項目編集画面）ＧＥを示す図である。この画面ＧＥは、複数の設定画面（タブ画面）に分散して配置されている複数の設定項目の中から所望の選択項目を「Ｍｙタブ」（カスタマイズ画面）内の配置項目として登録するための画面である。
【０１３８】
画面ＧＥ内の上段には、複数の選択項目の中からＭｙタブに登録したい所望の選択項目を選択する選択欄（「設定項目一覧」）ＳＣ５１が設けられている。当該複数の選択項目は、複数の設定画面（タブ画面）に分類されて表示されている。
【０１３９】
画面ＧＥ内の下段には、Ｍｙタブへの登録内容を表示する表示欄が設けられている。「左側」の表示欄ＬＣ５には、Ｍｙタブ内の左側欄ＬＣ１（図５参照）に表示される内容が示されており、「右側」の表示欄ＲＣ５には、Ｍｙタブ内の右側欄ＲＣ１（図５参照）に表示される内容が示されている。
【０１４０】
画面ＧＥ内の中段には、上段の選択欄で選択された選択項目を、Ｍｙタブ内において左側欄ＬＣ１と右側欄ＲＣ１とのいずれに追加登録するかを指示するボタンＢＮ５１，ＢＮ５２が設けられている。
【０１４１】
たとえば、マウス操作等によって、ユーザは、上段の選択欄ＳＣ５１において「レイアウト」タブ内の「印刷種類」を登録対象項目として選択した後、「右へ」ボタンＢＮ５２を押下する。このような操作に応じて、「印刷種類」が表示欄ＲＣ５に追加登録される。これにより、「印刷種類」がＭｙタブ内の右側欄ＲＣ１（図５参照）に配置される。このように、通常は、ユーザにより指定された設定項目（指定項目とも称する）「印刷種類」のみを登録対象とする登録動作が実行される。
【０１４２】
ただし、この第５実施形態においては、さらに、指定項目「印刷種類」との間に禁則条件が発生し得る別の設定項目（「ページ単位設定」および「光沢モード」）もが、自動的に登録対象として選択され「Ｍｙタブ」内に追加登録（配置）される。
【０１４３】
具体的には、上記のような設定項目「印刷種類」の追加登録操作が行われると、プリンタドライバ（詳細には、禁則項目取得部９４）は、ユーザ操作によって登録対象として指定された「印刷種類」のみならず、この設定項目「印刷種類」との間に禁則条件が発生し得る設定項目（具体的には、「ページ単位設定」および「光沢モード」）を取得する。
【０１４４】
そして、図１９に示すようなダイアログ画面ＧＤ５が表示される。ダイアログ画面ＧＤ５は、「登録する設定項目（「印刷種類」）は、以下と禁則関係にあるため、以下もＭｙタブに追加します。よろしいでしょうか？  ページ単位設定  光沢モード」の文言を含む。
【０１４５】
そして、ダイアログ画面ＧＤ５内の「はい」ボタンがユーザによって押下されると、図２０に示すように、プリンタドライバ（詳細には、設定制御部９５）は、「ページ単位設定」および「光沢モード」を「印刷種類」に引き続いて右側表示欄ＲＣ５に表示する。ユーザがこのような内容を承認してＯＫボタンＢＮ１１を押下すると、この登録内容が確定される。すなわち、プリンタドライバ（詳細には、設定制御部９５）は、「印刷種類」のみならず「ページ単位設定」および「光沢モード」をも「Ｍｙタブ」内に配置する旨、を決定して登録する。なお、その後、プリンタドライバ画面ＧＲを用いた設定操作の際には、Ｍｙタブ内の右側欄ＲＣ１（図５参照）において、「ページ単位設定」および「光沢モード」が「印刷種類」の近接位置（直下位置）に表示される（図２２参照）。
【０１４６】
このようにして、指定項目「印刷種類」のみならず、禁則関係を生じ得る別の設定項目「ページ単位設定」および「光沢モード」もが「Ｍｙタブ」内に登録され配置される（図２２）。換言すれば、禁則関係が生じ得る複数の設定項目（「印刷種類」、「光沢モード」および「ページ単位設定」）が、１つの設定画面「Ｍｙタブ」内に集約配置されて表示される。そのため、ユーザは、複数の設定画面の切換操作を伴うことを要さずに、禁則条件に係る複数の設定項目に係る設定内容を簡易に設定することが可能である。
【０１４７】
＜６．第６実施形態＞
第６実施形態は、第５実施形態の変形例である。以下では、第１実施形態との相違点を中心に説明する。
【０１４８】
上記第５実施形態においては、「Ｍｙタブ」に設定項目を追加する項目登録画面ＧＥを用いて登録操作を行う際に、ユーザによる指定項目と、当該指定項目との間に禁則条件が発生し得る別の設定項目との双方が「Ｍｙタブ」内に追加される態様が例示されている。
【０１４９】
この第６実施形態においては、「固定タブ」（詳細には「レイアウト」タブ）を用いてユーザの明示の指示に応じて設定項目（指定項目）を追加登録する登録操作が行われる際に、当該指定項目との間で禁則関係にある設定項目もが「Ｍｙタブ」内に追加される態様が例示される。
【０１５０】
図２１は、固定タブ（詳細には「レイアウト」タブ）に関する設定画面（「レイアウトタブ画面」）ＧＴ６を示す図である。以下では、この固定タブ画面を用いて、設定項目「印刷種類」が「Ｍｙタブ」に追加登録される際に、別の設定項目「ページ単位設定」および「光沢モード」もが併せて、「Ｍｙタブ」に追加登録（配置）される動作について説明する。
【０１５１】
ユーザが、「レイアウト」タブ画面ＧＴ６内の右側欄の「印刷種類」上にマウスカーソルを移動させ当該設定項目「印刷種類」を仮選択した状態でマウス右クリック操作を行うと、図２１のようなメニュー画面ＭＮ６がタブ画面ＧＴ６に重畳表示される。このメニュー画面ＭＮ６には、仮選択された設定項目「印刷種類」をＭｙタブの左側欄ＬＣ１と右側欄ＲＣ１とのいずれに配置するかを指示する２つの選択肢が表示されている。上側の選択肢「左へ」がユーザによって選択されると、当該設定項目（登録対象項目）の追加先（配置先）として左側欄ＬＣ１が指定される。一方、下側の選択肢「右へ」がユーザによって選択されると、当該設定項目の追加先として右側欄ＲＣ１が指定される。
【０１５２】
たとえば、下側の選択肢「右へ」がユーザによって選択されると、Ｍｙタブの右側欄ＲＣ１に当該設定項目が追加される。
【０１５３】
ただし、この第６実施形態においては、第５実施形態と同様に、さらに、「印刷種類」との間に禁則条件が発生し得る別の設定項目（「ページ単位設定」および「光沢モード」）もが、自動的に登録対象として選択され「Ｍｙタブ」内に追加される。
【０１５４】
具体的には、上記のような指定項目「印刷種類」の追加登録操作が行われると、プリンタドライバ（詳細には、禁則項目取得部９４）は、ユーザ操作によって登録対象として指定された「印刷種類」のみならず、この指定項目「印刷種類」との間に禁則条件が発生し得る設定項目（具体的には、「ページ単位設定」および「光沢モード」）を取得する。
【０１５５】
そして、図１９に示すようなダイアログ画面ＧＤ５が表示される。
【０１５６】
その後、ダイアログ画面ＧＤ５内の「はい」ボタンがユーザによって押下されると、図２２に示すように、プリンタドライバ（詳細には、設定制御部９５）は、「ページ単位設定」および「光沢モード」を「印刷種類」に引き続いて右側欄ＲＣ１に追加表示する。
【０１５７】
このようにして、図２２に示すように、禁則関係が生じ得る設定項目（「印刷種類」、「光沢モード」および「ページ単位設定」）が、１つの設定画面「Ｍｙタブ」内に集約配置されて表示される。そのため、複数の設定画面の切換操作を伴うことを要さずに、禁則条件に係る複数の設定項目に係る設定内容を簡易に設定することが可能である。
【０１５８】
＜７．第７実施形態＞
第７実施形態は、第１実施形態の変形例である。以下では、第１実施形態との相違点を中心に説明する。
【０１５９】
上記第１実施形態においては、「Ｍｙタブ」内で操作された設定内容に対する禁則条件が存在する場合に、禁則条件に係る設定項目が「Ｍｙタブ」内に追加される態様が例示されている。
【０１６０】
この第７実施形態においては、設定項目の追加先の設定画面等が「固定タブ」画面である態様が例示される。詳細には、特定の「固定タブ」内で操作された設定内容に対する禁則条件が存在する場合に、禁則条件に係る設定項目が同じ固定タブ（当該特定の「固定タブ」）内に追加される態様が例示される。換言すれば、禁則条件に係る複数の設定項目であって複数の固定タブに分かれて配置されていた複数の設定項目が、同一の固定タブ内に集約されて表示される。
【０１６１】
図２３は、第７実施形態に係る動作を示すフローチャートである。また、図２４は、固定タブ（詳細には「レイアウト」タブ）に関する設定画面（「レイアウトタブ画面」）ＧＴ７を示す図である。なお、この図２４は、変更前のレイアウトタブ画面ＧＴ７を示す図である。一方、図２６は、変更後のレイアウトタブ画面ＧＴ７を示す図である。
【０１６２】
以下では、変更前の「レイアウトタブ画面」（図２４）を用いて、設定項目「印刷種類」の設定内容が「片面」から「小冊子」に変更される際に、別の設定項目「ページ単位設定」および「光沢モード」もが「レイアウトタブ画面」に配置される動作について説明する。
【０１６３】
「固定タブ」内の設定項目「印刷種類」を「小冊子」に変更する設定操作（マウス操作等）が受け付けられると、まず、ステップＳ５１において、プリンタドライバが操作ユーザの操作内容を取得する。ここでは、プリンタドライバは、「固定タブ」内の設定項目「印刷種類」を「小冊子」に変更すべき旨の操作内容（図２４参照）を取得する。
【０１６４】
そして、ステップＳ５２においては、禁則設定検出動作が実行される。具体的には、プリンタドライバ（詳細には、禁則項目取得部９４）は、取得された操作内容に基づき、「小冊子」設定に関連する禁則設定（禁則条件）を検索し、当該禁則設定の存否を判定する。たとえば、「小冊子」設定に関連する禁則設定（禁則条件）として、「ページ単位設定（有効）」と「光沢モード（有効）」とが抽出される。このように、禁則項目取得部９４は、固定タブ画面「レイアウト」内の「印刷種類」に関する設定操作に応じて、別の固定タブ画面「カバーシート／挿入紙」内の設定項目「ページ単位設定」と、さらに別の固定タブ画面「画像品質」内の設定項目「光沢モード」とを、「小冊子」設定との間に禁則関係を生じ得る設定項目として取得する。
【０１６５】
「小冊子」設定に関連する禁則設定（禁則条件）が存在する旨が判定されると、ステップＳ５２からステップＳ５３に進む。なお、一方、「小冊子」設定に関連する禁則設定（禁則条件）が存在しない旨が判定されると、本ルーチン処理は終了する。
【０１６６】
ステップＳ５３においては、禁則発生を示すメッセージ画面が表示される。たとえば、図６と同様のダイアログ画面が表示される。また、当該ダイアログ画面内の「はい」ボタン或いは「いいえ」ボタンが押下されると、ステップＳ５４の分岐処理に進む。「いいえ」ボタンが押下されると、本ルーチン処理は終了する。一方、「はい」ボタンが押下されると、ステップＳ５４からステップＳ５５に進む。
【０１６７】
ステップＳ５５においては、ステップＳ５１で取得された操作情報に基づいて、操作対象の設定項目（ここでは「印刷種類」）の設定内容（メモリ上での設定内容）が新たな内容（ここでは「小冊子」）に変更される。換言すれば、表示上の設定内容が実際の設定内容（メモリ上での設定内容）に反映される。また、ステップＳ５５においては、ステップＳ５３での設定変更の許可応答に基づいて、設定項目「ページ単位設定」が無効化され且つ設定項目「光沢モード」も無効化される。
【０１６８】
ステップＳ５６においては、項目を追加してよいか否かが判定される。具体的には、まず、ダイアログ画面ＧＤ７２（図２５）が表示される。ダイアログ画面ＧＤ７２は、「禁則関係にある下記の設定項目を、現在操作した設定項目の近くに配置しますが、よろしいでしょうか？  ページ単位設定  光沢モード」の文字等を備えて構成される。
【０１６９】
ユーザが「いいえ」ボタンを押下すると、プリンタドライバは、当該項目の追加がユーザにより許可されなかった旨を判定し、本ルーチン処理を終了する。一方、ユーザがダイアログ画面ＧＤ７２の内容を確認して「はい」ボタンを押下すると、プリンタドライバは、当該項目の追加がユーザにより許可された旨を判定し、ステップＳ５７に進む。
【０１７０】
ステップＳ５７においては、項目の追加処理が行われる。具体的には、設定制御部９５は、ステップＳ５６で追加が許可された設定項目を取得し、当該項目をリスト（ここでは固定タブ「レイアウト」のリスト）に追加して、当該リストを更新する（ステップＳ５８）。これにより、「レイアウト」タブ画面における配置が更新される。その後、「レイアウトタブ画面」の更新表示処理が行われる（ステップＳ５９）。その結果、図２６に示すように、「レイアウトタブ画面」内において、操作対象の選択項目「印刷種類」の下方隣接位置に、禁則関係を生じ得る２つの設定項目（「ページ単位設定」および「光沢モード」）もが追加される。
【０１７１】
このような態様によれば、固定タブ画面「レイアウト」内の設定項目「印刷種類」（詳細には設定内容「小冊子」）との間で禁則条件が発生し得る設定項目（「ページ単位設定」および「光沢モード」）が、当該設定項目「印刷種類」とともに、１つの固定タブ画面「レイアウト」内に集約配置されて表示される。そのため、複数の設定画面の切換操作を伴うことを要さずに、禁則条件に係る複数の設定項目に係る設定内容を簡易に設定することが可能である。
【０１７２】
＜８．第８実施形態＞
第８実施形態は、第１実施形態の変形例である。以下では、第１実施形態との相違点を中心に説明する。
【０１７３】
上記第１実施形態においては、「Ｍｙタブ」内で操作された設定内容に対する禁則条件が存在する場合に、「手動登録項目」と「自動登録項目」とが同じ表示態様で表示される態様が例示されている。
【０１７４】
ここにおいて、「自動登録項目」は、禁則設定検出動作（ステップＳ１２（図４）等参照）に応じて自動的に登録された設定項目（第１実施形態では「ページ単位設定」および「光沢モード」）である。換言すれば、「自動登録項目」は、「自動追加動作」によってＭｙタブ」画面内に自動的に追加された設定項目である。この「自動追加動作」は、操作対象項目（例えば「印刷種類」）に関する操作に応じて、禁則関係にある別の設定項目（例えば「ページ単位設定」および「光沢モード」）を自動的に検出して、配置対象の設定画面（例えば「Ｍｙタブ」）内に追加配置する動作である。
【０１７５】
また、「手動登録項目」は、ユーザによる明示の指示に応じて（項目ごとに）登録された設定項目（第１実施形態では「印刷種類」）である。換言すれば、「手動登録項目」は、手動登録操作によって、ユーザ指定に基づいて追加登録された設定項目である。なお、このような手動登録操作は、登録項目編集画面ＧＥ（図１８）等を用いて行われる。
【０１７６】
この第８実施形態においては、「Ｍｙタブ」内で操作された設定内容に対する禁則条件が検出される場合に、「自動登録項目」が「手動登録項目」とは区別して配置される態様が例示される。詳細には、「Ｍｙタブ」内において、「自動登録項目」が通常の表示態様（「手動登録項目」の表示態様）とは異なる態様（太字表示等）で表示される。
【０１７７】
第８実施形態においても、第１実施形態と同様の動作が実行される。ただし、図７に代えて図２７の画面が追加登録結果として表示される。図２７においては、「Ｍｙタブ」内に追加された複数の設定項目のうち、「手動登録項目」は通常の太さの文字で表示されており、その一方、「自動登録項目」は太字で表示されている。
【０１７８】
このような態様によれば、自動登録項目と手動登録項目とが区別して表示されるので、各設定項目の必要性を判定し易い。特に、Ｍｙタブ内の設定項目が増えすぎた場合に、不要な設定項目を容易に認識して削除することが可能である。たとえば、ユーザは、自動登録項目の重要度は手動登録項目の重要度よりも低いと判断し、自動登録項目の一部または全部を、不要な設定項目として判定して優先的に削除することが可能である。
【０１７９】
なお、この実施形態においては、「自動登録項目」が太字で表示される場合が例示されているが、これに限定されない。たとえば、「自動登録項目」が赤色（「手動登録項目」とは異なる色）で表示されるようにしてもよい。あるいは、自動登録項目であることを示すアイコンを「自動登録項目」の近傍に表示するようにしてもよい。
【０１８０】
＜９．第９実施形態＞
第９実施形態は、第１実施形態の変形例である。以下では、第１実施形態との相違点を中心に説明する。
【０１８１】
上記第８実施形態においては、「Ｍｙタブ」内において、「自動登録項目」が「手動登録項目」とは異なる太さの文字で表示される態様が例示されている。
【０１８２】
この第９実施形態においては、「自動登録項目」が「Ｍｙタブ」内の「自動登録項目欄」ＲＣ９に配置され、「手動登録項目」が「Ｍｙタブ」内の「手動登録項目欄」（ユーザ登録項目欄とも称する）ＬＣ９に配置される態様が例示される（図２８および図２９参照）。すなわち、「自動登録項目」と「手動登録項目」とが互いに異なる表示欄に分離して表示される態様が例示される。
【０１８３】
第９実施形態においても、第１実施形態と同様の動作が実行される。ただし、図５に代えて図２８の画面が表示され、図７に代えて図２９の画面が表示される。図２９の画面（追加登録結果）においては、「Ｍｙタブ」内の比較的左側の表示欄ＬＣ９が「手動録項目欄」であり、「Ｍｙタブ」内の比較的右側の表示欄ＲＣ９が「自動登録項目欄」である。換言すれば、複数の設定項目のうち、「手動登録項目」が左側の表示欄ＬＣ９に表示され、「自動登録項目」が右側の表示欄ＲＣ９に表示される。
【０１８４】
このような態様によれば、自動登録項目と手動登録項目とが区別して表示されるので、必要性の有無を判定し易い。特に、Ｍｙタブ内の設定項目が増えすぎた場合に、不要な設定項目を容易に認識して削除することが可能である。
【０１８５】
また、このような態様において、さらに、自動登録項目を「手動録項目欄」に移動できるように構成してもよい。
【０１８６】
図３０は、このような移動操作前の状態を示す図であり、図３１は、このような移動操作後の状態を示す図である。
【０１８７】
図３０においては、右側の「自動登録項目欄」ＲＣ１には、２つの設定項目（「ページ単位設定」および「光沢モード」）が登録されている。このうち、一方の設定項目「ページ単位設定」の表示部分が、ユーザのドラッグアンドドロップ操作によって、左側の「ユーザ登録項目欄」ＬＣ１に移動される。このような操作に応じて、プリンタドライバ（設定制御部９５および表示制御部９３等）は、図３１に示すような「Ｍｙタブ」画面を再構成し表示する。
【０１８８】
このように、「自動登録項目」のうちの指定設定項目（たとえば「ページ単位設定」）に対する移動指示がユーザにより付与されると、設定制御部９５は、当該指定設定項目を、自動登録項目欄ＲＣ９から手動登録項目欄ＬＣ９へと移動するようにしてもよい。
【０１８９】
＜１０．その他＞
＜手動リフレッシュ＞
上述の「自動登録項目」は、任意のタイミングで一括的に削除できることが好ましい。図３２は、「自動登録のリセット」ボタンＢＮ９（削除用のボタン）ＢＮ９を有する「Ｍｙタブ」画面を示す図である。図３２は、ボタンＢＮ９が押下される前の状態を示している。ここでは、Ｍｙタブ内の複数の設定項目のうち、「ページ単位設定」と「光沢モード」と「表カバー」とが自動登録項目であるものとする。
【０１９０】
図３２において、「自動登録のリセット」ボタンＢＮ９が押下されると、図３３のようなダイアログ画面ＧＤ９１が表示される。ダイアログ画面ＧＤ９１は、「自動登録された設定項目を削除します。削除する設定項目を選択して下さい。」の文言を含む。また、ダイアログ画面ＧＤ９１は、自動登録された複数の選択項目を列挙する領域であって当該複数の選択項目の中から削除すべき項目を指定する領域（指定領域とも称する）、をも含む。指定領域において列挙された複数の項目のうち、その左側のチェックボックスにチェック印が付された項目が、「削除対象項目」として指定される。
【０１９１】
そして、指定領域にて複数の削除対象項目が指定された状態で、当該ダイアログ画面ＧＤ９１内のＯＫボタンが押下されると、設定制御部９５は、複数の削除対象項目を一括的に削除する削除指示がユーザにより付与されたものと判定する。そして、設定制御部９５は削除指示に係る複数の自動登録項目を「Ｍｙタブ」画面から削除する。図３４は、自動登録項目の削除後の「Ｍｙタブ」画面を示す図である。このように、「自動登録のリセット」ボタンＢＮの押下に応じて、自動登録項目（具体的には、「ページ単位設定」、光沢モード」および「表カバー」）が一括的に削除される。自動登録項目に係るこのような手動削除動作（手動リフレッシュ動作とも称される）によれば、比較的多数の表示項目を有することに起因して煩雑になっていた「Ｍｙタブ」画面を、簡単に整理することが可能である。
【０１９２】
＜自動リフレッシュ＞
また、「自動登録項目」は、上記のような手動削除操作によって削除されても良く、次述するような自動削除動作によって削除されてもよい。
【０１９３】
図３５は、自動削除動作直前の「Ｍｙタブ」画面を示す図である。「Ｍｙタブ」に自動登録された自動登録項目が所定数（たとえば１０個）に到達すると、自動削除動作が実行されるようにしてもよい。
【０１９４】
具体的には、設定変更操作が行われる際において、上記の自動登録動作（ステップＳ１１〜ステップＳ１９等）に先立って、当該自動削除動作が行われればよい。たとえば、「印刷種類」に関する設定変更操作の直後において、まず図３６のダイアログ画面ＧＤ９２が表示される。ダイアログ画面ＧＤ９２は、「自動登録された設定項目が多くなりました。不要な設定項目を削除する場合は、以下から選択して下さい。」の文言を含む。また、ダイアログ画面ＧＤ９２は、自動登録された複数の選択項目のうち削除すべき設定項目を指定する領域（指定領域とも称する）、をも含む。指定領域において列挙された複数の項目のうち、その左側のチェックボックスにチェック印が付された項目が、「削除対象項目」として指定される。
【０１９５】
ユーザはダイアログ画面ＧＤ９２に従って削除対象の設定項目を（必要に応じて選択して）指定した後にＯＫボタンを押下すると、「Ｍｙタブ」画面から自動登録項目が削除される。図３７は、自動登録項目の削除後の「Ｍｙタブ」画面を示す図である。このようにして、自動登録動作が開始される際に、登録済みの自動登録項目の数が所定数（たとえば１０個）に到達していることを条件として、自動削除動作が自動的に開始され、一部または全部の自動登録項目（１または複数の自動登録項目）が削除される。自動登録項目に係るこのような自動削除動作（自動リフレッシュ動作とも称される）によれば、「Ｍｙタブ」画面内の自動登録項目を適宜に整理することが可能である。
【０１９６】
＜関連項目の連動削除動作＞
また、ユーザによる指定操作に基づく指定項目を「Ｍｙタブ」画面から削除する際には、当該指定項目に関連して自動登録された設定項目も併せて削除されることが好ましい。
【０１９７】
図３８においては、「Ｍｙタブ」画面にて「印刷種類」を削除対象項目（指定項目）とする削除指示が付与されている。具体的には、ユーザが、「Ｍｙタブ」内の右側欄の「印刷種類」上にマウスカーソルを移動させ当該設定項目「印刷種類」を仮選択した状態でマウス右クリック操作を行うと、図３８のようなメニュー画面ＭＮ９１が重畳表示される。
【０１９８】
このメニュー画面ＭＮ９１には、「削除」指示を含む選択肢が表示されている。この「削除」指示は、仮選択された設定項目「印刷種類」を削除すべき旨の指示である。メニュー画面ＭＮ９１内の最下段の選択肢「削除」がユーザによって選択されると、プリンタドライバは、設定画面「Ｍｙタブ」内に登録された設定項目のうちの指定設定項目（「印刷種類」）に対する削除指示がユーザにより付与された旨を判定する。そして、当該指定設定項目「印刷種類」が削除される。ただし、ここでは、さらに、「印刷種類」との間に禁則条件が発生し得る別の設定項目（「ページ単位設定」および「光沢モード」）もが、自動的に削除対象として選択され「Ｍｙタブ」内から削除される。
【０１９９】
具体的には、上記のような設定項目「印刷種類」の削除指示操作が行われると、プリンタドライバ（詳細には、禁則項目取得部９４）は、ユーザ操作によって削除対象として指定された「印刷種類」との間に禁則条件が発生し得る設定項目（具体的には、「ページ単位設定」および「光沢モード」）を取得する。そして、当該設定項目（具体的には、「ページ単位設定」および「光沢モード」）が「Ｍｙタブ」内に存在することが確認されると、図３９に示すようなダイアログ画面ＧＤ９３が表示される。
【０２００】
ダイアログ画面ＧＤ９３は、「ドライバが自動追加した以下の設定項目も一緒に削除しますが、よろしいでしょうか？  ページ単位設定  光沢モード」の文言を含む。
【０２０１】
その後、ダイアログ画面ＧＤ９３内の「はい」ボタンがユーザによって押下されると、図４０に示すように、プリンタドライバ（詳細には、設定制御部９５）は、「ページ単位設定」および「光沢モード」を「印刷種類」とともに「Ｍｙタブ」から削除する。換言すれば、設定制御部９５は、指定設定項目「印刷種類」の削除に連動して当該指定設定項目に関連して登録された設定項目（「光沢モード」および「ページ単位設定」）をも、設定画面「Ｍｙタブ」から削除する。
【０２０２】
このようにして、図４０に示すように、設定項目「印刷種類」の削除指示に応じて、当該設定項目との間に禁則関係が生じ得る別の設定項目（「光沢モード」および「ページ単位設定」）もが、設定画面「Ｍｙタブ」から削除される。これによれば、「Ｍｙタブ」内の自動登録項目を容易に整理することが可能である。
【０２０３】
＜関連項目の連動移動動作＞
また、ユーザによる指定操作に基づく指定項目を「Ｍｙタブ」内において移動する際には、当該指定項目に関連して自動登録された設定項目も併せて移動されることが好ましい。
【０２０４】
図４１においては、「Ｍｙタブ」画面にて「印刷種類」を移動対象項目（指定項目）とする移動指示が付与されている。具体的には、ユーザが、「Ｍｙタブ」内の右側欄の「印刷種類」上にマウスカーソルを移動させ当該設定項目「印刷種類」を仮選択した状態でマウス右クリック操作を行うと、図４１のようなメニュー画面ＭＮ９２が重畳表示される。
【０２０５】
このメニュー画面ＭＮ９２には、上下左右の各方向への「移動」指示を含む選択肢が表示されている。この「移動」指示は、仮選択された設定項目「印刷種類」を指定方向に移動すべき旨の指示である。たとえば、最上段の選択肢「左へ」がユーザによって選択されると、プリンタドライバは、設定画面「Ｍｙタブ」内に登録された設定項目のうちの指定設定項目（「印刷種類」）に対する（左欄ＬＣ１への）移動指示がユーザにより付与された旨を判定する。そして、当該指定設定項目「印刷種類」が左側の表示欄ＬＣ１に移動される。ただし、ここでは、さらに、「印刷種類」との間に禁則条件が発生し得る別の設定項目（「ページ単位設定」および「光沢モード」）もが、自動的に移動対象として選択され、「印刷種類」とともに表示欄ＬＣ１に移動される。
【０２０６】
具体的には、上記のような設定項目「印刷種類」の移動指示操作が行われると、プリンタドライバ（詳細には、禁則項目取得部９４）は、ユーザ操作によって移動対象として指定された「印刷種類」との間に禁則条件が発生し得る設定項目（具体的には、「ページ単位設定」および「光沢モード」）を取得する。そして、当該設定項目（具体的には、「ページ単位設定」および「光沢モード」）が「Ｍｙタブ」内に存在することが確認されると、図４２に示すようなダイアログ画面ＧＤ９４が表示される。
【０２０７】
ダイアログ画面ＧＤ９４は、「ドライバが自動追加した以下の設定項目も一緒に移動させますが、よろしいでしょうか？  ページ単位設定  光沢モード」の文言を含む。
【０２０８】
その後、ダイアログ画面ＧＤ９４内の「はい」ボタンがユーザによって押下されると、図４３に示すように、プリンタドライバ（詳細には、設定制御部９５）は、「ページ単位設定」および「光沢モード」を「印刷種類」とともに、「Ｍｙタブ」内の左側の表示欄ＬＣ１へ移動する。換言すれば、設定制御部９５は、指定設定項目「印刷種類」の移動に連動して、当該指定設定項目に関連して登録された設定項目（「光沢モード」および「ページ単位設定」）をも、設定画面「Ｍｙタブ」内において移動する。
【０２０９】
このようにして、図４３に示すように、設定項目「印刷種類」の移動指示に応じて、当該設定項目との間に禁則関係が生じ得る別の設定項目（「光沢モード」および「ページ単位設定」）もが、設定画面「Ｍｙタブ」内において移動される。これによれば、「Ｍｙタブ」内の設定項目の配置を、禁則条件を考慮しつつ容易に整理することが可能である。
【０２１０】
＜その他の変形例等＞
以上、様々な態様について例示したが、この発明は上記説明した内容のものに限定されるものではない。
【０２１１】
たとえば、上記の各態様における思想は、１つの装置において組み合わせて実現されるようにしてもよい。
【０２１２】
また、上記各態様においては、コンピュータ９０で実行されるプリンタドライバの表示画面に本発明の思想が適用される態様が例示されているが、これに限定されない。たとえば、ＭＦＰ１０の操作パネル６３上の表示画面に本発明の思想が適用されるようにしてもよい。より詳細には、ＭＦＰ１０の操作パネル６３を用いたコピー設定操作において上記の思想が適用されるようにしてもよい。その場合には、ＭＦＰ１０のコントローラ９あるいは操作パネル６３内のコントローラ（不図示）によって、上記の思想を反映したプログラムが実行されればよい。
【０２１３】
また、上記各態様においては、プリンタドライバの設定操作に本発明の思想が適用される態様が例示されているが、これに限定されない。たとえば、その他のソフトウエアプログラムにおける各種の設定操作に本発明の思想が適用されるようにしてもよい。
【符号の説明】
【０２１４】
１０  ＭＦＰ
６３  操作パネル
９０  コンピュータ
９４  禁則項目取得部
９５  設定制御部
９７  入出力部
１００  プリントシステム
ＧＤ  ダイアログ画面
ＧＥ  項目登録画面（登録項目編集画面）
ＧＲ  プリンタドライバ画面
ＧＴ  設定画面
【図１】
2013235332.tif 000003
【図２】
2013235332.tif 000004
【図３】
2013235332.tif 000005
【図４】
2013235332.tif 000006
【図５】
2013235332.tif 000007
【図６】
2013235332.tif 000008
【図７】
2013235332.tif 000009
【図８】
2013235332.tif 000010
【図９】
2013235332.tif 000011
【図１０】
2013235332.tif 000012
【図１１】
2013235332.tif 000013
【図１２】
2013235332.tif 000014
【図１３】
2013235332.tif 000015
【図１４】
2013235332.tif 000016
【図１５】
2013235332.tif 000017
【図１６】
2013235332.tif 000018
【図１７】
2013235332.tif 000019
【図１８】
2013235332.tif 000020
【図１９】
2013235332.tif 000021
【図２０】
2013235332.tif 000022
【図２１】
2013235332.tif 000023
【図２２】
2013235332.tif 000024
【図２３】
2013235332.tif 000025
【図２４】
2013235332.tif 000026
【図２５】
2013235332.tif 000027
【図２６】
2013235332.tif 000028
【図２７】
2013235332.tif 000029
【図２８】
2013235332.tif 000030
【図２９】
2013235332.tif 000031
【図３０】
2013235332.tif 000032
【図３１】
2013235332.tif 000033
【図３２】
2013235332.tif 000034
【図３３】
2013235332.tif 000035
【図３４】
2013235332.tif 000036
【図３５】
2013235332.tif 000037
【図３６】
2013235332.tif 000038
【図３７】
2013235332.tif 000039
【図３８】
2013235332.tif 000040
【図３９】
2013235332.tif 000041
【図４０】
2013235332.tif 000042
【図４１】
2013235332.tif 000043
【図４２】
2013235332.tif 000044
【図４３】
2013235332.tif 000045